(57)【要約】      （修正有）【課題】見開きの２つのページそれぞれの格納指示記入欄のうちいずれか一方のみに記入があった場合であっても、各ページに対応した画像データの有無に基づき、操作者の意図を推定して、記憶対象の画像データを的確に特定して格納することができ、操作者の利便性を向上することができる電子筆記装置を提供する。【解決手段】電子ペンの位置情報を取得して画像データを生成した後に、チェックボックスを備えた紙媒体を左ページと右ページとの見開き状態で各ページに対する筆記動作の有無を筆記判定しステップＳ４、チェックボックスへの記入の有無を記入判定しステップＳ５、チェックボックスへの記入態様に対応してページ単位若しくは２ページ単位で画像データを記憶対象として特定しステップＳ６、その特定し画像データをサーバへ記憶するための送信を行うステップＳ７を、有する。【選択図】図６
2015215680.tif 000002
【特許請求の範囲】
【請求項１】
筆記具を用いた操作者の被筆記媒体への筆記動作に伴って移動する、前記筆記具の複数の位置情報を取得する位置取得手段と、
前記位置取得手段で取得された前記複数の位置情報を用いて、前記筆記具による前記被筆記媒体への筆記内容に対応した画像データを生成するデータ生成手段と、
前記データ生成手段により生成された前記画像データを外部記憶装置へ記憶させるために通信により送信する通信手段と、
前記外部記憶装置への格納指示を行うための格納指示記入欄を各ページに備えた前記被筆記媒体を、左右方向の第１側の第１ページと第２側の第２ページとの見開き状態で保持する保持手段と、
前記位置取得手段による取得結果に基づき、前記保持手段に保持された前記被筆記媒体の前記第１ページ及び前記第２ページそれぞれに対する、前記操作者の前記筆記動作の有無を判定する筆記判定手段と、
前記位置取得手段による取得結果に基づき、前記保持手段に保持された前記被筆記媒体の各ページに備えられる前記格納指示記入欄への記入の有無を判定する記入判定手段と、
前記筆記判定手段により、前記第１ページ及び前記第２ページのうち少なくとも一方のページへの前記筆記動作があったと判定され、かつ、前記記入判定手段により、前記第１ページに備えられた第１格納指示記入欄、及び、前記第２ページに備えられた第２格納指示記入欄、のうちいずれか一方の格納指示記入欄への記入があったと判定された場合に、前記少なくとも一方のページへの前記筆記動作に対応した前記位置情報に基づく前記画像データを、前記いずれか一方の格納指示記入欄への記入態様に対応して、ページ単位若しくは２ページ単位で、前記外部記憶装置への記憶対象として特定する、画像データ特定手段と、
前記記入判定手段で前記格納指示記入欄への記入が検出されたことを契機に前記通信手段を制御し、前記画像データ特定手段により前記記憶対象として特定された前記画像データを前記外部記憶装置へ記憶するための送信を行う、送信制御手段と、
を有することを特徴とする電子筆記装置。
【請求項２】
請求項１記載の電子筆記装置において、
前記画像データ特定手段は、
前記筆記判定手段により、前記第１ページ及び前記第２ページの両ページへの前記筆記動作があったと判定されたとき、
（ｉ）前記記入判定手段により、前記第１格納指示記入欄への記入があったと判定された場合には、前記第１ページに対応した前記画像データと前記第２ページに対応した前記画像データとをそれぞれ別個に前記記憶対象として特定し、
（ｉｉ）前記記入判定手段により、前記第２格納指示記入欄への記入があったと判定された場合には、前記第１ページ及び前記第２ページに対応した前記画像データを一括して前記記憶対象として特定する
ことを特徴とする電子筆記装置。
【請求項３】
請求項１又は請求項２記載の電子筆記装置において、
前記画像データ特定手段は、
前記筆記判定手段により、前記第１ページへの前記筆記動作があり前記第２ページへの前記筆記動作がないと判定されたとき、前記記入判定手段により、前記第１格納指示記入欄への記入があったと判定された場合、若しくは、前記第２格納指示記入欄への記入があったと判定された場合、のいずれにおいても、前記第１ページに対応した前記画像データを前記記憶対象として特定する
ことを特徴とする電子筆記装置。
【請求項４】
請求項１又は請求項２記載の電子筆記装置において、
前記画像データ特定手段は、
前記筆記判定手段により、前記第２ページへの前記筆記動作があり前記第１ページへの前記筆記動作がないと判定されたとき、前記記入判定手段により、前記第１格納指示記入欄への記入があったと判定された場合、若しくは、前記第２格納指示記入欄への記入があったと判定された場合、のいずれにおいても、前記第２ページに対応した前記画像データを前記記憶対象として特定する
ことを特徴とする電子筆記装置。
【請求項５】
請求項２乃至請求項４のいずれか１項記載の電子筆記装置において、
前記画像データ特定手段は、
前記筆記判定手段により、前記第１ページにも前記第２ページにも前記筆記動作がないと判定されたとき、前記記入判定手段により、前記第１格納指示記入欄への記入があったと判定された場合、若しくは、前記第２格納指示記入欄への記入があったと判定された場合、のいずれにおいても、前記第１ページ及び前記第２ページに対応した前記画像データを前記記憶対象として特定しない
ことを特徴とする電子筆記装置。
【発明の詳細な説明】
【技術分野】
【０００１】
本発明は、操作者による筆記内容を電子データ化する電子筆記装置に関する。
【背景技術】
【０００２】
操作者（ユーザ）が筆記具を用いて筆記した内容を電子データ化する電子筆記装置（筆記入力装置）が既に知られている（例えば、特許文献１参照）。この従来技術では、被筆記媒体（普通紙）が、保持手段（手書き入力部のステージ）上に載置される。この状態で、操作者が、筆記具（電磁ペン）を用いて被筆記媒体に対し所望の筆記を行うと、手書き入力部の検出回路が上記筆記具の位置情報を検出し、複数の位置情報に基づき上記被筆記媒体への筆記内容に対応したデータ（加筆データ）が生成される。筆記作業が終了すると、上記被筆記媒体への筆記内容に対応したデータが、通信インタフェースを介して外部記憶装置（パソコン）に送信され、保存される。
【先行技術文献】
【特許文献】
【０００３】
【特許文献１】特開２００１−１４７７７１号公報
【発明の概要】
【発明が解決しようとする課題】
【０００４】
上記のようにして筆記内容を電子データ化する際、被筆記媒体が左右２ページの見開きタイプであった場合、操作者によっては、何れか一方のページにのみ加筆を行った場合や左右両ページに加筆を行った場合など、電子データ化された筆記内容を、操作者が意図するページ単位での保存、あるいは、一方は保存したが他方の保存をし忘れてしまわないようにページ単位での加筆の有無に応じて自動で保存することができれば非常に便利である。しかしながら、上記従来技術では、見開き状態の被筆記媒体における各ページごとの記憶処理については、特に配慮されていなかった。
【０００５】
本発明の目的は、見開きの２つのページそれぞれの格納指示記入欄のうちいずれか一方のみに記入があった場合であっても、各ページに対応した画像データの有無に基づき、操作者の意図を推定して、記憶対象の画像データを的確に特定して格納することができ、操作者の利便性を向上することができる電子筆記装置を提供することにある。
【課題を解決するための手段】
【０００６】
上記目的を達成するために、本願発明は、筆記具を用いた操作者の被筆記媒体への筆記動作に伴って移動する、前記筆記具の複数の位置情報を取得する位置取得手段と、前記位置取得手段で取得された前記複数の位置情報を用いて、前記筆記具による前記被筆記媒体への筆記内容に対応した画像データを生成するデータ生成手段と、前記データ生成手段により生成された前記画像データを外部記憶装置へ記憶させるために通信により送信する通信手段と、前記外部記憶装置への格納指示を行うための格納指示記入欄を各ページに備えた前記被筆記媒体を、左右方向の第１側の第１ページと第２側の第２ページとの見開き状態で保持する保持手段と、前記位置取得手段による取得結果に基づき、前記保持手段に保持された前記被筆記媒体の前記第１ページ及び前記第２ページそれぞれに対する、前記操作者の前記筆記動作の有無を判定する筆記判定手段と、前記位置取得手段による取得結果に基づき、前記保持手段に保持された前記被筆記媒体の各ページに備えられる前記格納指示記入欄への記入の有無を判定する記入判定手段と、前記筆記判定手段により、前記第１ページ及び前記第２ページのうち少なくとも一方のページへの前記筆記動作があったと判定され、かつ、前記記入判定手段により、前記第１ページに備えられた第１格納指示記入欄、及び、前記第２ページに備えられた第２格納指示記入欄、のうちいずれか一方の格納指示記入欄への記入があったと判定された場合に、前記少なくとも一方のページへの前記筆記動作に対応した前記位置情報に基づく前記画像データを、前記いずれか一方の格納指示記入欄への記入態様に対応して、ページ単位若しくは２ページ単位で、前記外部記憶装置への記憶対象として特定する、画像データ特定手段と、前記記入判定手段で前記格納指示記入欄への記入が検出されたことを契機に前記通信手段を制御し、前記画像データ特定手段により前記記憶対象として特定された前記画像データを前記外部記憶装置へ記憶するための送信を行う、送信制御手段と、を有することを特徴とする。
【０００７】
本願発明の電子筆記装置においては、操作者が筆記具を用いて筆記した内容を電子データ化することができる。すなわち、操作者が、所定の紙媒体などからなる被筆記媒体を保持手段に置いて、その被筆記媒体に対し筆記具を用いて所望の筆記を行うと、筆記動作により移動する筆記具の複数の位置情報が位置取得手段によって取得される。そして、その取得された複数の位置情報を用いて、データ生成手段が上記被筆記媒体への筆記内容に対応した画像データを生成する。生成された画像データは、通信手段によって外部記憶装置へ送信され、当該外部記憶装置に格納され記憶される。
【０００８】
このとき、上記被筆記媒体は、各ページを見開き状態にして使用可能であり、上記保持手段による保持時には、当該被筆記媒体は、左右方向の第１側（例えば左側。以下同様）の第１ページ（例えば左側のページ）と第２側（例えば右側）の第２ページ（例えば右側のページ）との見開き状態で保持される。
【０００９】
また、上記被筆記媒体の各ページには、外部格納指示を行うための格納指示記入欄が設けられている。操作者は、上記のように保持手段に被筆記媒体が保持された状態で筆記を行った後、格納指示記入欄での所定の記入により、上記生成された画像データを保存したい格納先への格納指示を行う。すると、位置取得手段が取得する位置情報に基づき、記入判定手段により上記格納指示記入欄へ記入されたと判定され、送信制御手段による通信手段の制御よって、上記画像データが無線通信により送信される。これにより、外部記憶装置に、上記筆記内容に対応した画像データが自動的に格納される。
【００１０】
ここで、上記のように見開き状態（すなわち上記第１ページと第２ページとの両ページが開かれた状態）である被筆記媒体において、操作者が両ページそれぞれの格納指示記入欄にすべて記入せず、いずれか一方のページの格納指示記入欄のみに記入する場合がありうる。このような場合、操作者がいずれか一方のページのみに筆記動作を行った場合もあるが、両ページに筆記動作を行ったにもかかわらず、何らかの理由（筆記を急いでいて片方のページの格納指示記入欄への記入を省略した、うっかり記入を忘れた、等）で記入漏れをした場合も想定される。
【００１１】
そこで本願発明では、上記記入判定手段に加え、筆記判定手段と画像データ特定手段とが設けられる。筆記判定手段では、上記位置取得手段での位置取得結果に基づき、上記第１ページ及び上記第２ページそれぞれに対する筆記動作の有無を判定する。そして、第１ページ及び第２ページのうち少なくとも一方のページへの筆記動作があったと判定されると、画像特定手段が、上記記入判定手段による判定（第１及び第２ページの第１及び第２格納指示記入欄のいずれか一方へ記入があったとの判定）に対応して、上記筆記動作に対応した上記画像データを、上記いずれか一方の格納指示記入欄への記入態様に応じたページ単位（若しくは２ページ単位）で、上記外部記憶装置への記憶対象として特定する。
【００１２】
具体的には、例えば第１及び第２ページの両ページへ筆記動作があり、かつ第１格納指示記入欄のみに記入があった場合には、第２ページへの筆記動作→第１ページへの筆記動作の順で筆記が行われたとき、第１格納指示記入欄への記入後に第２格納指示記入欄への記入をし忘れたものとみなされ、両ページに対応した画像データがそれぞれ記憶対象として特定される。なお、この際には、本来であれば両ページの格納指示記入欄にそれぞれ記入するはずだった（操作者は両ページのデータを個別に記憶させたかった）とみなされ、別個に記憶対象として特定される。
【００１３】
また、例えば第１及び第２ページの両ページへ筆記動作があり、かつ第２格納指示記入欄のみに記入があった場合には、第１ページへの筆記動作→第２ページへの筆記動作の順で筆記が行われたときに、操作者が両ページのデータを一括して記憶させる意図であったとみなされ、両ページに対応した画像データが一括して記憶対象として特定される。
【００１４】
また、例えば、第１ページのみに筆記動作があり（第２ページへの筆記動作がなく）、かつ第１格納指示記入欄のみ（又は第２格納指示記入欄のみ）に記入があった場合には、操作者が筆記動作をした第１ページのデータを記憶させる意図であったと見なされ、当該第１ページに対応した画像データのみが記憶対象として特定される。
【００１５】
また、例えば、第２ページのみに筆記動作があり（第１ページへの筆記動作がなく）、かつ第１格納指示記入欄のみ（又は第２格納指示記入欄のみ）に記入があった場合には、操作者が筆記動作をした第２ページのデータを記憶させる意図であったと見なされ、当該第２ページに対応した画像データのみが記憶対象として特定される。
【００１６】
以上のようにして、本願発明においては、見開きの２つのページ（第１ページ及び第２ページ）それぞれの格納指示記入欄（第１格納指示記入欄及び第２格納指示記入欄）のうちいずれか一方のみに記入があった場合であっても、各ページに対応した画像データの有無に基づき、操作者の意図を推定して、記憶対象の画像データを的確に特定して格納することができる。この結果、操作者の利便性を向上することができる。
【発明の効果】
【００１７】
本発明によれば、見開きの２つのページそれぞれの格納指示記入欄のうちいずれか一方のみに記入があった場合であっても、各ページに対応した画像データの有無に基づき、操作者の意図を推定して、記憶対象の画像データを的確に特定して格納することができ、操作者の利便性を向上することができる。
【図面の簡単な説明】
【００１８】
【図１】本発明の一実施形態の電子筆記装置を備えた手書き入力システムの全体構成を表すシステム構成図である。
【図２】電子筆記装置の電気的構成を表す機能ブロック図である。
【図３】ストロークデータ取得の一例を説明する説明図である。
【図４】ストロークデータにおけるペン位置番号と座標情報との対応付けの一例を説明する説明図である。
【図５】紙媒体のフォーマット（様式）の例を表す説明図である。
【図６】ＣＰＵの実行する制御手順を表すフローチャートである。
【図７】ページ単位のストロークデータを各ページに対応した画像データの有無に基づいて保存される例を表す説明図である。
【発明を実施するための形態】
【００１９】
以下、本発明の一実施形態を図面を参照しつつ説明する。
【００２０】
＜システム概略＞
図１に、本実施形態の電子筆記装置２を備えた手書き入力システム１を示す。なお、以下の説明では、図１の紙面の上側、下側、右側、左側、手前側、奥行き側を、それぞれ、電子筆記装置２の上側、下側、右側、左側、手前側、奥行き側と定義して説明する。
【００２１】
図１に示すように、手書き入力システム１は、電子筆記装置２と、いわゆる電磁誘導式の電子ペン３（筆記具）と、表示装置４と、を備えている。なお、電子筆記装置２は、この例では、例えば、無線（又は有線）の通信により、ネットワークＮＷを介し、外部記憶装置としてのサーバＳＶに接続されている。
【００２２】
＜電子筆記装置２＞
電子筆記装置２は、平面視で上下方向に長い薄型の直方体状の形状を呈する左右見開きタイプであり、その見開き状態において左側（第１側）２Ａと、右側（第２側）２Ｂと、左側２Ａと右側２Ｂとを見開き状態で開閉可能に保持するヒンジ部（保持手段）２Ｃと、備えている。
【００２３】
電子筆記装置２の左側２Ａの手前側（見開き状態）には、その大部分を占めるように、凹部形状の載置部２３Ａが設けられている。
【００２４】
電子筆記装置２の右側２Ｂの右上部には、種々の情報を表示可能な小型の表示部２１が設けられている。また、右側２Ｂの表示部２１の左側には、ユーザが電子筆記装置２を操作するための入力部２２が設けられている。そして、表示部２１及び入力部２２の下側に、電子筆記装置２の手前側（見開き状態）の大部分を占めるように、凹部形状の載置部２３Ｂが設けられている。
【００２５】
各載置部２３Ａ，２３Ｂ（以下、左右両方を含めて「載置部２３」とも称する）には、被筆記媒体としての紙媒体７０（後述の図５参照）が載置されるとともに、載置部２３Ａ，２３Ｂとほぼ同一の範囲となるように座標検出部２４Ａ，２４Ｂ（以下、左右両方を含めて「座標検出部２４」とも称する）が設けられている。
【００２６】
座標検出部２４Ａ，２４Ｂは、電子ペン３の位置を表す座標情報（例えば、載置部２３Ａ，２３Ｂのそれぞれの左上部を原点（０，０）とする。）を検出する。そして、載置部２３Ａ，２３Ｂは、紙媒体７０を左側２Ａ及び右側２Ｂに適正に載置したときに、左ページ（第１ページ）７０Ａ及び右ページ（第２ページ）７０Ｂとして利用可能となる。この際、左右の各載置部２３は、それぞれに載置した紙媒体７０の左上の隅部が原点（０，０）に一致する姿勢で保持する。
【００２７】
＜電子ペン３＞
以下の説明では、電子ペン３において、芯３１のペン先３２が設けられている方向を先端方向という。また、先端方向の反対方向を後端方向という。電子ペン３は、この例では、芯３１と、検出スイッチ３３と、ボタン型の電池３４と、コイル３５と、基板３６と、を備えている。芯３１は金属製であり、ペン先３２とインク収納部３７とで構成されている。また、芯３１は、電子ペン３の先端部の内部に設けられ、そのペン先３２が外部に突出している。インク収納部３７にはインクが収納され、当該インクはペン先３２に供給される。これにより、ユーザ（操作者）は、電子ペン３を使用して紙媒体７０に所望の文字や図形等を筆記することができる。
【００２８】
芯３１の後端方向には、基板３６が設けられている。基板３６の先端部には検出スイッチ３３が実装され、基板３６の後端方向には電池３４が設けられている。電池３４は基板３６に接続されており、電池３４のマイナス側の電極は、基板３６上の配線を介しコイル３５に電気的に接続されている。また、電池３４のプラス側の電極は、基板３６の配線を介し検出スイッチ３３に電気的に接続されている。検出スイッチ３３は、基板３６の配線を介しコイル３５に電気的に接続されている。コイル３５は、電子ペン３の内部の先端部において芯３１の周囲に巻回されている。
【００２９】
＜電子ペン３の座標情報の検出＞
ここで、芯３１は、図示しない弾性部材により常に先端方向に付勢されている。芯３１は、ユーザが紙媒体７０に文字等を筆記する場合の押圧力によって、上記弾性部材の付勢力に抗して電子ペン３の内部にやや退入する。この退入によって、芯３１の後端部が検出スイッチ３３を押下し、検出スイッチ３３がオン状態になる。これによって、電池３４とコイル３５とが導通して電池３４からコイル３５に向かって電流が流れ、コイル３５に電流が流れることで磁界が発生する。
【００３０】
電子筆記装置２の座標検出部２４は、上記のようにしてコイル３５から発生する磁界を電磁誘導に基づき検出する。なお、この検出は公知の手法で足りるので、詳細な説明は省略する。この座標検出部２４の検出結果に基づき、ＣＰＵ２０１は、ユーザが電子ペン３を用いて紙媒体７０へ筆記動作を行ったときの電子ペン３の移動に対応する、複数の位置情報（すなわち、上記座標情報）を取得する。なお、前述したように、本実施形態では、座標検出部２４の左上部の座標（Ｘ，Ｙ）を原点（０，０）とし、右方向をＸ軸、下方向をＹ軸とする座標系を用いる。すなわち、Ｘ座標の値が座標検出部２４（載置部２３）における左右方向の位置を表し、Ｙ座標の値が上下方向の位置を表す。
【００３１】
＜表示装置４＞
表示装置４は、電子筆記装置２に接続されており、ユーザが電子筆記装置２の載置部２３に載置した紙媒体７０の外観に相当する画像データや、ユーザによる紙媒体７０への筆記内容に相当する画像データ（ストロークデータの集合体）を表示することができる。
【００３２】
＜電子筆記装置２の電気的構成＞
図２を参照して、電子筆記装置２の電気的構成について説明する。図２に示すように、電子筆記装置２は、ＣＰＵ２０１と、ＲＯＭ２０２と、ＲＡＭ２０３と、フラッシュメモリ２０４と、入力部２２と、駆動回路２０６，２０９，２１０と、通信制御部２０７（通信手段）と、を備えている。なお、通信制御部２０７は、ネットワークＮＷを介した電子筆記装置２とサーバＳＶとの情報送受信の制御を行う。
【００３３】
ＲＯＭ２０２、ＲＡＭ２０３、及びフラッシュメモリ２０４は、ＣＰＵ２０１に電気的に接続されている。ＲＯＭ２０２は、プログラム記憶領域２０２１と、画像データ記憶領域２０２３とを備えている。プログラム記憶領域２０２１には、ＣＰＵ２０１が電子筆記装置２を制御するために実行する各種プログラムが記憶されている。画像データ記憶領域２０２３には、後述する紙媒体７０のフォーマット情報に対応した画像のデータが記憶されている。
【００３４】
ＲＡＭ２０３は種々のデータを一時的に記憶する記憶領域として使用される。フラッシュメモリ２０４は、座標情報記憶領域２０４１を備えている。座標情報記憶領域２０４１には、座標情報データテーブル５３が記憶される。
【００３５】
入力部２２及び駆動回路２０６，２０９，２１０は、ＣＰＵ２０１と電気的に接続されている。駆動回路２０６，２０９は、それぞれ、表示部２１及び座標検出部２４を駆動するための電子回路である。駆動回路２１０は、表示装置４に画像を表示させるための電子回路である。
【００３６】
＜ストロークデータの生成＞
次に、ストロークデータについて説明する。ストロークデータは、上記座標検出部２４の検出結果に基づきＣＰＵ２０１で取得された複数の座標情報からなる、ペン位置データ列である。図３及び図４には、２つのストロークデータ「ａ」「ｂ」の例を示している。
【００３７】
図３及び図４において、第１ストロークデータ「ａ」は、電子ペン３による文字「ａ」の書き始めから書き終わりまでの一筆書き部分の軌跡を表すデータである。第１ストロークデータ「ａ」は、時系列に沿って、ペン位置番号Ｔ１，Ｔ２，・・，Ｔ１１それぞれに対応した、１１個の座標情報（Ｘ１，Ｙ１），（Ｘ２，Ｙ２），・・，（Ｘ１１，Ｙ１１）を含む。また、第２ストロークデータ「ｂ」は、電子ペン３による文字「ｂ」の書き始めから書き終わりまでの一筆書き部分の軌跡を表すデータである。この第２ストロークデータ「ｂ」は、時系列に沿って、ペン位置番号Ｔ１２，Ｔ１３，・・，Ｔ２１それぞれに対応した、１０個の座標情報（Ｘ１２，Ｙ１２），（Ｘ１３，Ｙ１３），・・（Ｘ２１，Ｙ２１）を含む。このようにして、ＣＰＵ２０１は、座標検出部２４の検出結果に応じた複数の座標情報を用いて、ユーザが電子ペン３を用いて紙媒体７０へ筆記した内容に対応した、ストロークデータを生成する。なお、このようにしてそれぞれ生成された複数のストロークデータの集合体が、各請求項記載の画像データに相当している。
【００３８】
＜本実施形態の特徴＞
以上の基本構成において、本実施形態の特徴は、ユーザが紙媒体７０のチェックボックス（後述）にチェックをすることにより、電子ペン３による紙媒体７０への実際の筆記に対応したストロークデータが、ページ単位の筆記状況に応じてサーバＳＶの複数のフォルダ（格納先）に自動的に記憶処理されることにある。以下、その詳細を順を追って説明する。
【００３９】
図５に、本実施形態で用いられる紙媒体７０の一例を示す。この例では、左ページ７０Ａには、ユーザが所望の文字・図形等（以下、「書込文字」ともいう）Ｌを自由に筆記可能なフリー書き込み領域７１Ａと、左ページ７０Ａの上端部近傍に位置する格納指示記入欄（第１格納指示記入欄）としての「保存」チェックボックス７２Ａと、が設けられている。同様に、右ページ７０Ｂには、ユーザが所望の書込文字Ｒを自由に筆記可能なフリー書き込み領域７１Ｂと、右ページ７０Ｂの上端部近傍に位置する格納指示記入欄（第２格納指示記入欄）としての「保存」チェックボックス７２Ｂと、が設けられている。なお、図中には、前述のＸ座標及びＹ座標の値を表す目盛表記を（説明の便宜上）併せて示している。
【００４０】
この例では、ユーザがストロークデータの格納先として使用可能なフォルダとして、サーバＳＶ内に画像データの格納用フォルダが設けられている。紙媒体７０は、これに対応したフォーマットに予め設定されており、上記のように、「保存」チェックボックス７２（７２Ａ，７２Ｂ）がそれぞれ設けられている。この際、各チェックボックス７２は、見開き状態で載置部２３Ａ，２３Ｂに上向き（天地方向）に左ページ７０Ａ及び右ページ７０Ｂを適正に載置したときに、互いに内側に位置するようになっている。これにより、載置部２３Ａ，２３Ｂに左ページ７０Ａ及び右ページ７０Ｂを載置したときの位置ずれを容易に目視可能とし、位置ずれを抑制することができる。
【００４１】
ユーザが、紙媒体７０を電子筆記装置２の載置部２３に載置した状態で、電子ペン３を用いて紙媒体７０の「保存」チェックボックス７２にチェック「レ」を記入すると、そのチェック動作に対応したストロークデータが、ＣＰＵ２０１によって、「保存」チェックボックス７２に対応した座標値範囲において取得される。ＣＰＵ２０１は、予め記憶されたフォーマット情報を参照して、「保存」チェックボックス７２にチェックされたことを認識する。ユーザは、「保存」チェックボックス７２にチェックすることによって、フリー書き込み領域７１（７１Ａ，７１Ｂ）への書込文字Ｌ，Ｒに対応したストロークデータをサーバＳＶの格納先（フォルダ）への送信及び保存の実行を指示することができる。同様に、右ページ７０Ｂの「保存」チェックボックス７２Ｂにのみチェックがされたときには左右両ページをひとかたまりの画像データとして一括記憶処理する。
【００４２】
また、左ページ７０Ａにのみ画像データがあった場合に、左ページ７０Ａ又は右ページ７０Ｂの何れか一方の「保存」チェックボックス７２（７２Ａ，７２Ｂ）にのみチェックがあったときには、画像データを有する左ページ７０Ａの画像データを記憶処理する。逆に、右ページ７０Ｂにのみ画像データがあった場合に、右ページ７０Ｂ又は左ページ７０Ａの何れか一方の「保存」チェックボックス７２（７２Ａ，７２Ｂ）にのみチェックがあったときには。画像データを有する右ページ７０Ｂの画像データを記憶処理する。
【００４３】
さらに、左ページ７０Ａ及び右ページ７０Ｂの何れにも画像データがない場合には、例え、左ページ７０Ａ又は右ページ７０Ｂの何れか一方の「保存」チェックボックス７２にチェックがあったとしても、画像データの記憶処理は行わない。
【００４４】
＜制御フロー＞
上記を実現するために、電子筆記装置２のＣＰＵ２０１が実行する制御手順を、図６により説明する。
【００４５】
ます、ステップＳ１において、ＣＰＵ２０１は、例えば、電子筆記装置２の電源がオンされることを契機に、所定のイニシャライズ（初期化）を行い、ステップＳ２へと移行する。
【００４６】
ステップＳ２において、ＣＰＵ２０１は、前述のようにしてユーザが筆記を行ったときの座標検出部２４での検出結果に基づき、電子ペン３の座標情報を取得する。この手順が、各請求項記載の位置取得手段として機能する。
【００４７】
その後、ステップＳ３に移り、ＣＰＵ２０１は、ステップＳ２で取得された座標情報に基づき、前述のようにして、ユーザの書込文字Ｌ．Ｒの内容に対応するストロークデータを生成する。この手順が、各請求項記載のデータ生成手段として機能する。なお、生成されたストロークデータは、ＲＡＭ２０３に一時的に記憶される。
【００４８】
そして、ステップＳ４において、ＣＰＵ２０１は、ステップＳ２で取得された座標情報に基づき、その座標情報を取得した該当ページ（７０Ａ，７０Ｂ）に対応して筆記ありと判定し、該当ページ（７０Ａ，７０Ｂ）に対応するように筆記フラグを立てる（筆記フラグ＝１）。なお、このステップＳ４が、各請求項記載の筆記判定手段として機能する。
【００４９】
そして、ステップＳ５において、ＣＰＵ２０１は、ステップＳ２で取得された座標情報とステップＳ３で生成されたストロークデータとに基づき、紙媒体７０に備えられた「保存」チェックボックス７２にチェックがされたかどうかを判定する。「保存」チェックボックス７２にチェックがされていた場合には判定が満たされ（Ｓ５：Ｙｅｓ）、ステップＳ６に移る。なお、このステップＳ５が、各請求項記載の記入判定手段として機能する。
【００５０】
一方、ステップＳ５において、「保存」チェックボックス７２にチェックがされていなかった場合にはステップ５の判定が満たされず（Ｓ５：Ｎｏ）、ステップＳ２にループし、以降、「保存」チェックボックス７２にチェックがされるまで上記ステップＳ２〜ステップＳ５のルーチンを繰り返す。
【００５１】
ステップＳ６では、ＣＰＵ２０１は、ステップＳ４で立てられたフラグに基づき、ページ判定処理を実行し、ステップＳ７へと移行する。なお、このステップＳ６が、各請求項記載の画像データ特定手段として機能する。
【００５２】
ステップＳ７では、ＣＰＵ２０１は、通信制御部２０７を制御し、ネットワークＮＷを介し、ステップＳ６で判定したページ保存態様（保存判定パターン）により、画像データをフォルダに格納して保存する。このステップＳ７が、各請求項記載の送信制御手段として機能する。その後、このフローを終了する。
【００５３】
図７は、このようなステップＳ６におけるＣＰＵ２０１による判定の一例を示しており、例えば、ＲＯＭ２０２にテーブル方式で格納されている。ＣＰＵ２０１は、このテーブルを参照し、各ページ（７０Ａ，７０Ｂ）に対応した画像データの有無（筆記フラグ＝１）に基づき、操作者の意図を推定して、記憶対象の画像データを的確に特定してサーバＳＶに格納（ステップＳ７）する。
【００５４】
すなわち、ＣＰＵ２０１は、記入判定手段（ステップＳ５）に加え、筆記判定手段（ステップＳ４）と画像データ特定手段（ステップＳ６）とが設けられる。筆記判定手段（ステップＳ４）では、位置取得手段（ステップＳ２）での位置取得結果に基づき、左ページ７０Ａ及び右ページ７０Ｂそれぞれに対する筆記動作の有無を判定し、筆記動作がある場合に、該当するページ（７０Ａ，７０Ｂ）に対応して筆記フラグ＝１とする。
【００５５】
そして、左ページ７０Ａ及び右ページ７０Ｂのうち少なくとも一方のページ（７０Ａ，７０Ｂ）への筆記動作があったと判定されると、記入判定手段（ステップＳ５）による判定（左ページ７０Ａ及び右ページ７０Ｂの各「保存」チェックボックス７２のいずれか一方へ記入があったとの判定）に対応して、筆記動作に対応した画像データを、いずれか一方の「保存」チェックボックス７２への記入態様に応じたページ単位（若しくは２ページ単位）で、サーバＳＶへの記憶対象として特定する。
【００５６】
具体的には、例えば左ページ７０Ａ及び右ページ７０Ｂの両ページに筆記動作があり、かつ「保存」チェックボックス７２Ａのみに記入があった場合には、右ページ７０Ｂへの筆記動作→左ページ７０Ａへの筆記動作の順で筆記が行われたとき、「保存」チェックボックス７２Ａへの記入後に「保存」チェックボックス７２Ｂへの記入をし忘れたものとみなされ、両ページに対応した画像データがそれぞれ記憶対象として特定される。なお、この際には、本来であれば左ページ７０Ａ及び右ページ７０Ｂの両ページの「保存」チェックボックス７２Ａ，７２Ｂにそれぞれ記入するはずだった（ユーザは両ページのデータを個別に記憶させたかった）とみなされ、別個に記憶対象として特定される（保存判定パターン１）。
【００５７】
また、例えば左ページ７０Ａ及び右ページ７０Ｂの両ページへ筆記動作があり、かつ「保存」チェックボックス７２Ｂのみに記入があった場合には、左ページ７０Ａへの筆記動作→右ページ７０Ｂへの筆記動作の順で筆記が行われたときに、ユーザが両ページのデータを一括して記憶させる意図であったとみなされ、両ページに対応した画像データが一括して記憶対象として特定される（保存判定パターン４）。
【００５８】
また、例えば左ページ７０Ａのみに筆記動作があり（右ページ７０Ｂへの筆記動作がなく）、かつ「保存」チェックボックス７２Ａのみ（又は「保存」チェックボックス７２Ｂのみ）に記入があった場合には、ユーザが筆記動作をした左ページ７０Ａのデータを記憶させる意図であったと見なされ、左ページ７０Ａに対応した画像データのみが記憶対象として特定される（保存判定パターン２）。
【００５９】
さらに、例えば、右ページ７０Ｂのみに筆記動作があり（左ページ７０Ａへの筆記動作がなく）、かつ「保存」チェックボックス７２Ａのみ（又は「保存」チェックボックス７２Ｂのみ）に記入があった場合には、ユーザが筆記動作をした右ページ７０Ｂのデータを記憶させる意図であったと見なされ、右ページ７０Ｂに対応した画像データのみが記憶対象として特定される（保存判定パターン３）。
【００６０】
以上のようにして、本願発明においては、見開きの２つのページ（左ページ７０Ａ及び右ページ７０Ｂ）それぞれの「保存」チェックボックス７２（「保存」チェックボックス７２Ａ及び「保存」チェックボックス７２Ｂ）のうちいずれか一方のみに記入があった場合であっても、各ページに対応した画像データの有無に基づき、ユーザの意図を推定して、記憶対象の画像データを的確に特定して格納することができる。この結果、ユーザの利便性を向上することができる。
【００６１】
以上説明したように、本実施形態の電子筆記装置２においては、電子ペン３を用いた操作者の紙媒体７０への筆記動作に伴って移動する、電子ペン３の複数の位置情報を取得する位置取得手段（ステップＳ２）と、位置取得手段（ステップＳ２）で取得された複数の位置情報を用いて、電子ペン３による紙媒体７０への記載に対応した画像データを生成するデータ生成手段（ステップＳ３）と、データ生成手段（ステップＳ３）により生成された画像データをサーバＳＶへ記憶させるために通信により送信する通信制御部２０７と、サーバＳＶへの格納指示を行うための「保存」チェックボックス７２を備えた紙媒体７０を、電子筆記装置２の左側２Ａの左ページ７０Ａと右側２Ｂの右ページ７０Ｂとの見開き状態で保持する載置部２３（２３Ａ，２３Ｂ）と、位置取得手段（ステップＳ２）による取得結果に基づき、載置部２３に載置された紙媒体７０の左ページ７０Ａ及び右ページ７０Ｂそれぞれに対する、操作者の筆記動作の有無を判定する筆記判定手段（ステップＳ４）と、位置取得手段（ステップＳ２）による取得結果に基づき、載置部２３（２３Ａ，２３Ｂ）に載置された紙媒体７０（７０Ａ，７０Ｂ）の各ページに備えられる「保存」チェックボックス７２への記入の有無を判定する記入判定手段（ステップＳ５）と、筆記判定手段（ステップＳ４）により、左ページ７０Ａ及び右ページ７０Ｂのうち少なくとも一方のページへの筆記動作があったと判定され、かつ、記入判定手段（ステップＳ５）により、左ページ７０Ａに備えられた「保存」チェックボックス７２Ａ及び右ページ７０Ｂに備えられた「保存」チェックボックス７２Ｂ、のうちいずれか一方の「保存」チェックボックス７２への記入があったと判定された場合に、少なくとも一方のページへの筆記動作に対応した位置情報に基づく画像データ（データ有ページのデータ）を、いずれか一方の「保存」チェックボックス７２への記入態様に対応して、ページ単位若しくは２ページ単位で、サーバＳＶへの記憶対象として特定する、画像データ特定手段（ステップＳ６）と、記入判定手段（ステップＳ５）で「保存」チェックボックス７２への記入が検出されたことを契機に通信制御部２０７を制御し、画像データ特定手段（ステップＳ６）により記憶対象として特定された画像データをサーバＳＶへ記憶するための送信を行う送信制御手段（ステップＳ７）と、を有する。
【００６２】
これにより、本願発明の電子筆記装置２においては、ユーザが電子ペン３を用いて筆記した内容を電子データ化することができる。すなわち、ユーザが、所定の紙媒体などからなる紙媒体７０を載置部２３に置いて、その紙媒体７０に対し電子ペン３を用いて所望の筆記を行うと、筆記動作により移動する電子ペン３の複数の位置情報が位置取得手段（ステップＳ２）によって取得される。そして、その取得された複数の位置情報を用いて、データ生成手段（ステップＳ３）が紙媒体７０への筆記内容に対応した画像データを生成する。生成された画像データは、通信制御部２０７によってサーバＳＶへ送信され、サーバＳＶに格納され記憶される。
【００６３】
このとき、紙媒体７０は、左ページ７０Ａ及び右ページ７０Ｂの両ページを見開き状態にして使用することが可能となっており、左側２Ａの載置部２３Ａ及び右側２Ｂの載置部２３Ｂに紙媒体７０を載置したときには、紙媒体７０は、左側２Ａの左ページ７０Ａと右側２Ｂの右ページ７０Ｂとの見開き状態で載置部２３に保持される。
【００６４】
また、左ページ７０Ａ及び右ページ７０Ｂの各ページには、外部格納指示を行うための「保存」チェックボックス７２が設けられている。ユーザは、載置部２３Ａ，２３Ｂに左ページ７０Ａ及び右ページ７０Ｂが保持された状態で筆記を行った後、「保存」チェックボックス７２での所定の記入により、生成された画像データを保存したい格納先への格納指示を行う。すると、位置取得手段（ステップＳ２）が取得する位置情報に基づき、記入判定手段（ステップＳ５）により「保存」チェックボックス７２へ記入されたと判定され、送信制御手段（ステップＳ７）による通信制御部２０７の制御よって、画像データが無線通信により送信される。これにより、サーバＳＶに、筆記内容に対応した画像データが自動的に格納される（ステップＳ７）。
【００６５】
このように見開き状態（左ページ７０Ａと右ページ７０Ｂとの両ページが開かれた状態）である紙媒体７０において、ユーザが両ページそれぞれの「保存」チェックボックス７２にすべて記入せず、いずれか一方のページの「保存」チェックボックス７２のみに記入する場合がありうる。このような場合、ユーザがいずれか一方のページのみに筆記動作を行った場合もあるが、両ページに筆記動作を行ったにもかかわらず、何らかの理由（筆記を急いでいて片方のページの「保存」チェックボックス７２への記入を省略した、うっかり記入を忘れた、等）で記入漏れをした場合の対応が可能となる。
【００６６】
なお、本発明は、上記実施形態に限られるものではなく、例えば、上述した具体例では、左ページ７０Ａ→右ページ７０Ｂへの筆記動作順序を考慮した場合で説明したが、筆記順序は問わなくてもよい等、その趣旨及び技術的思想を逸脱しない範囲内で種々の変形が可能である。以下、そのような変形例を順を追って説明する。
【００６７】
（１）＜左右両ページにデータ有の場合＞
例えば、ＣＰＵ２０１は、画像データ特定手段（ステップＳ６）において、筆記判定手段（ステップＳ４）により、左ページ７０Ａ及び右ページ７０Ｂの両ページへの筆記動作があった（両ページの筆記フラグが共に「１」）と判定されたとき、
（ｉ）記入判定手段（ステップＳ５）により、「保存」チェックボックス７２Ａへの記入があったと判定された場合には、左ページ７０Ａに対応した画像データと右ページ７０Ｂに対応した画像データ（データ有ページのデータ）とをそれぞれ別個に記憶対象として特定（保存判定パターン１）し、
（ｉｉ）記入判定手段（ステップＳ５）により、「保存」チェックボックス７２Ｂのみへの記入があったと判定された場合には、左ページ７０Ａ及び右ページ７０Ｂに対応した画像データを一括して記憶対象として特定（保存判定パターン４）する。
【００６８】
これにより、左ページ７０Ａ及び右ページ７０Ｂの筆記順序に関係なく、左ページ７０Ａ及び右ページ７０Ｂの両ページに画像データが存在するのに、いずれか一方のページの「保存」チェックボックス７２にしか記入されていない場合であっても、ユーザの本来の意図を推定して、記憶対象の画像データを的確に特定して格納することができる。
【００６９】
（２）＜左右ページどちらもデータ無しの場合＞
なお、ＣＰＵ２０１は、画像データ特定手段（ステップＳ６）において、筆記判定手段（ステップＳ４）により、左ページ７０Ａにも右ページ７０Ｂにも筆記動作がないと判定されたとき、記入判定手段（ステップＳ５）により、「保存」チェックボックス７２Ａのみへの記入があったと判定された場合、若しくは、「保存」チェックボックス７２Ｂのみへの記入があったと判定された場合、のいずれにおいても、左ページ７０Ａ及び右ページ７０Ｂに対応した画像データを記憶対象として特定しないようにしてもよい。
【００７０】
これにより、左ページ７０Ａにも右ページ７０Ｂにも対応した画像データが存在しないにもかかわらず、左ページ７０Ａの「保存」チェックボックス７２Ａ（又は右ページ７０Ｂの「保存」チェックボックス７２Ｂ）へ記入があった場合には、記入欄への記入は誤記であるとみなし、画像データに対する無駄な記憶処理を行わないようにすることができる。
【００７１】
（３）その他
上記実施の形態では、左ページ７０Ａを第１ページ（前ページ）、右ページ７０Ｂを第２ページ（次ページ）として説明したが、これらは、所謂横書きの場合のページ順序である。したがって、縦書きの場合には、右ページ７０Ｂを第１ページ（前ページ）、左ページ７０Ａを第２ページ（次ページ）として扱うことも可能である。
【００７２】
また、以上においては、電子ペン３からの磁界を座標検出部２４で検出することによりユーザの筆記動作による電子ペン３の移動を検出したが、これに限られない。すなわち、ユーザの筆記動作時における電子ペン３の先端の動きを、超音波や赤外線やカメラ撮像結果を用いて検知する方式を用いてもよい。また、電子筆記装置２の載置部２３に公知の感圧手段を設け、ユーザの筆記動作時において電子ペン３の先端が紙媒体７０を押圧する力を上記感圧手段で検出することにより、電子ペン３の先端の動きを検出してもよい。この場合には、電子ペン３として、上記のような磁界を発生するためのコイル３５を備えたペンではなく、通常のボールペンなどの汎用のペンを用いることができる。
【００７３】
また、以上においては、「保存」チェックボックス７２へのチェックを契機にＣＰＵ２０１が対応する書込文字Ｌ，ＲをサーバＳＶへ送信してフォルダに格納したが、これに限られない。例えば、フォルダを左ページ用、右ページ用、両ページ用のように分け、これらフォルダへの格納先によりユーザの意図するページに対応したフォルダに自動的に仕分けて格納するようにしてもよい。さらにはその電子筆記装置２の内部の複数のフォルダに一旦記憶させておき、その後、何らかの契機により、サーバＳＶのフォルダへと出力して格納するようにしてもよい。この場合、一旦記憶させる複数のフォルダを、電子筆記装置２の外部の、別途のＰＣ端末や携帯端末やスマートフォン等に設けてもよい。
【００７４】
なお、以上において、図２に示す矢印は信号の流れの一例を示すものであり、信号の流れ方向を限定するものではない。
【００７５】
また、図７に示すフローチャートは本発明を上記フローに示す手順に限定するものではなく、発明の趣旨及び技術的思想を逸脱しない範囲内で手順の追加・削除又は順番の変更等をしてもよい。
【００７６】
また、以上既に述べた以外にも、上記実施形態や各変形例による手法を適宜組み合わせて利用しても良い。
【００７７】
その他、一々例示はしないが、本発明は、その趣旨を逸脱しない範囲内において、種々の変更が加えられて実施されるものである。
【符号の説明】
【００７８】
２                電子筆記装置
２Ａ              左側（第１側）
２Ｂ              右側（第２側）
２Ｃ              ヒンジ（保持手段）
３                電子ペン（筆記具）
２３              載置部（保持手段）
７０              紙媒体（被筆記媒体）
７０Ａ            左ページ（第１ページ）
７０Ｂ            右ページ（第２ページ）
７２              「保存」チェックボックス（格納指示記入欄）
ＳＶ              サーバ（外部記憶装置）
２０７            通信制御部（通信手段）
【図１】
2015215680.tif 000003
【図２】
2015215680.tif 000004
【図３】
2015215680.tif 000005
【図４】
2015215680.tif 000006
【図５】
2015215680.tif 000007
【図６】
2015215680.tif 000008
【図７】
2015215680.tif 000009